(57)【特許請求の範囲】
【請求項１】
建物の玄関スペースに、居室空間にそれぞれが連通する第１開口部と第２開口部とを設けるとともに、これら第１開口部及び第２開口部の一方を閉塞させたときには他方を開放させる構造とされた一枚の扉を設け、
前記第１開口部及び前記第２開口部のうちのいずれか一方の居室空間側に、前記玄関スペースに連なり、かつ前記第１開口部及び前記第２開口部のうちの他方の居室空間側に連なる第２玄関スペースを設け、
前記一枚の扉を開閉させることで、前記玄関スペースを前記第２玄関スペースに連通させる通路と前記他方の居室空間側に連通させる通路とが選択的に形成される構造とされており、
前記第１開口部と前記第２開口部とを、壁体を挟んで左右に横並びに設け、前記一枚の扉を、この壁体の幅方向にスライドされるスライド扉としていることを特徴とする玄関構造。
【請求項２】
請求項１において、
前記玄関スペースの左右両側を区画する一方の壁側に、前記第１開口部と前記第２開口部とに挟まれる前記壁体と左右で横並びとなるように、前記第１開口部及び前記第２開口部のうちの一方を区画する第２壁体を設けたことを特徴とする玄関構造。
【請求項３】
建物の玄関スペースに、居室空間にそれぞれが連通するように設けられる第１開口部及び第２開口部の一方を閉塞させたときには他方を開放させる構造とされた一枚の扉を設け、
前記第１開口部及び前記第２開口部のうちのいずれか一方の居室空間側に、前記玄関スペースに連なり、かつ前記第１開口部及び前記第２開口部のうちの他方の居室空間側に連なる第２玄関スペースを設け、
前記一枚の扉を開閉させることで、前記玄関スペースを前記第２玄関スペースに連通させる通路と前記他方の居室空間側に連通させる通路とが選択的に形成される構造とされており、
前記第１開口部と前記第２開口部とは、これら第１開口部及び第２開口部のうちの少なくともいずれか一方の開口幅を大きくする方向にスライド移動可能とされた可動間仕切の左右に横並びに形成される構成とされ、前記一枚の扉を、この可動間仕切の幅方向にスライドされるスライド扉としていることを特徴とする玄関構造。
【請求項４】
請求項１乃至３のいずれか１項において、
前記スライド扉は、上吊り構造とされていることを特徴とする玄関構造。
【請求項５】
請求項４において、
前記第１開口部及び前記第２開口部は、それぞれ略天井に至るように形成されており、前記スライド扉は、上端部が天井に近接した位置となるように支持される構造とされていることを特徴とする玄関構造。
【請求項６】
請求項１乃至５のいずれか１項において、
前記第２玄関スペースを前記他方の居室空間側から区画するように、該第２玄関スペースを区画する壁体と、この第２玄関スペースを区画する壁体に隣接するように設けられ前記第２玄関スペースと前記他方の居室空間側とを連通させる出入口を開閉する扉と、を設けたことを特徴とする玄関構造。
【発明の詳細な説明】
【技術分野】
【０００１】
本発明は、住居等の建物の玄関構造に関する。
【背景技術】
【０００２】
住居等の建物の玄関スペースは、家人の履物などが散乱しがちであり、来客時には、そのままでは見苦しく、整理等する必要があった。
このため、玄関スペースを来客用と家族用とに仕切る間仕切り等を設け、玄関スペースに、来客用通路（来客用ゾーン）と家族用通路（家族用ゾーン）とを設けた玄関構造が提案されている（例えば、下記特許文献１及び下記特許文献２参照）。
【先行技術文献】
【特許文献】
【０００３】
【特許文献１】特開２００１−１３２２４５号公報
【特許文献２】特開２００１−３０３７８１号公報
【発明の概要】
【発明が解決しようとする課題】
【０００４】
しかしながら、上記各特許文献に記載された玄関構造では、玄関スペースを間仕切り等で仕切ってあるだけであるので、玄関側から家族用通路（家族用ゾーン）が客人の視界に入る場合があり、更なる改善が望まれていた。
【０００５】
本発明は、上記実情に鑑みてなされたものであり、建物の玄関スペースを見栄え良く家人用と来客用とに区分し得る玄関構造を提供することを目的としている。
【課題を解決するための手段】
【０００６】
上記目的を達成するために、本発明に係る玄関構造は、建物の玄関スペースに、居室空間にそれぞれが連通する第１開口部と第２開口部とを設けるとともに、これら第１開口部及び第２開口部の一方を閉塞させたときには他方を開放させる構造とされた一枚の扉を設け、前記第１開口部及び前記第２開口部のうちのいずれか一方の居室空間側に、前記玄関スペースに連なり、かつ前記第１開口部及び前記第２開口部のうちの他方の居室空間側に連なる第２玄関スペースを設け、前記一枚の扉を開閉させることで、前記玄関スペースを前記第２玄関スペースに連通させる通路と前記他方の居室空間側に連通させる通路とが選択的に形成される構造とされており、前記第１開口部と前記第２開口部とを、壁体を挟んで左右に横並びに設け、前記一枚の扉を、この壁体の幅方向にスライドされるスライド扉としていることを特徴とする。
【０００７】
本発明においては、前記スライド扉を、上吊り構造としてもよい。
また、本発明においては、前記第１開口部及び前記第２開口部を、それぞれ略天井に至るように形成し、前記スライド扉を、上端部が天井に近接した位置となるように支持される構造としてもよい。
また、本発明においては、前記第２玄関スペースを前記他方の居室空間側から区画するように、該第２玄関スペースを区画する壁体と、この第２玄関スペースを区画する壁体に隣接するように設けられ前記第２玄関スペースと前記他方の居室空間側とを連通させる出入口を開閉する扉と、を設けてもよい。
また、本発明においては、前記玄関スペースの左右両側を区画する一方の壁側に、前記第１開口部と前記第２開口部とに挟まれる前記壁体と左右で横並びとなるように、前記第１開口部及び前記第２開口部のうちの一方を区画する第２壁体を設けてもよい。
【発明の効果】
【０００８】
本発明に係る玄関構造は、上述のような構成としたことで、建物の玄関スペースを見栄え良く家人用と来客用とに区分することができる。
【図面の簡単な説明】
【０００９】
【図１】（ａ）、（ｂ）は、いずれも本発明の一実施形態に係る玄関構造の一例を模式的に示す一部破断概略横断面図である。
【図２】（ａ）は、図１（ａ）におけるＸ１−Ｘ１線矢視に対応させた一部破断概略縦断面図、（ｂ）は、図１（ｂ）におけるＸ２−Ｘ２線矢視に対応させた一部破断概略縦断面図である。
【図３】（ａ）は、は、図１（ａ）におけるＹ１−Ｙ１線矢視に対応させた一部破断概略縦断面図、（ｂ）は、図１（ｂ）におけるＺ１部に対応させた概略拡大横断面図、（ｃ）は、（ａ）におけるＺ２部に対応させた概略拡大縦断面図、（ｄ）は、（ａ）におけるＺ３部に対応させた概略拡大縦断面図である。
【図４】（ａ）〜（ｃ）は、いずれも図２（ｂ）におけるＺ４部に対応させた一部切欠概略拡大正面図である。
【図５】（ａ）、（ｂ）は、いずれも本発明の他の実施形態に係る玄関構造の一例を模式的に示す一部破断概略横断面図である。
【図６】（ａ）は、図５（ａ）におけるＸ３−Ｘ３線矢視に対応させた一部破断概略縦断面図、（ｂ）は、図５（ｂ）におけるＸ４−Ｘ４線矢視に対応させた一部破断概略縦断面図である。
【図７】（ａ）は、図５（ｂ）におけるＹ２矢視に対応させた一部破断概略側面図、（ｂ）、（ｃ）は、いずれも同玄関構造が備える移動抑制部の一変形例を模式的に示し、図５（ｂ）におけるＺ５部に対応させた概略拡大横断面図である。
【図８】（ａ）、（ｂ）は、いずれも本発明の更に他の実施形態に係る玄関構造の一例を模式的に示す一部破断概略横断面図である。
【図９】（ａ）は、図８（ａ）におけるＸ５−Ｘ５線矢視に対応させた一部破断概略縦断面図、（ｂ）は、図８（ｂ）におけるＸ６−Ｘ６線矢視に対応させた一部破断概略縦断面図である。
【図１０】（ａ）、（ｂ）は、いずれも本発明の更に他の実施形態に係る玄関構造の一例を模式的に示す一部破断概略横断面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、屋外側から玄関に対面した状態において、手前側を前方、手前側の面を前面とし、その逆側をそれぞれ後方、背面（後面）として説明する。
さらに、各図では、外壁や内壁、各壁体、各扉等を模式的に示しており、後記する各空間、スペース等を区画するものであればどのような構造のものでもよい。
【００１１】
図１〜図４は、第１実施形態に係る玄関構造の一例について説明するための概念的な説明図である。
本実施形態に係る玄関構造１は、図１に示すように、住居等の建物２の外壁３によって区画された建物内空間に適用した例を示している。
建物２の外壁３には、屋外と建物内空間とを連通させる玄関開口４が設けられており、この玄関開口４には、この玄関開口４を開閉する玄関扉５が設けられている。図例では、玄関扉５は、一側部が開口枠に蝶番等の連結部材で連結支持された開き戸を示している。なお、玄関扉５は、開き戸に限られず引戸等としてもよい。
【００１２】
玄関扉５の後方側（建物内空間側）には、玄関スペース（第１玄関スペース（共通玄関スペース））を形成する第１玄関土間部１３が設けられている。この第１玄関土間部１３の手前側は、玄関扉５を設けた外壁３で区画されており、その左右両側は、それぞれ壁（図例では、外壁３、内壁７）によって区画されている。
この第１玄関土間部１３の後方側には、図１、図２及び図３（ａ）に示すように、この第１玄関土間部１３から段上がり状に形成された玄関フロアー部１４と、この第１玄関土間部１３に連なるように形成された第２玄関土間部１５とが設けられている。図例では、第１玄関土間部１３の右後方側に玄関フロアー部１４を設け、左後方側に第２玄関土間部１５を設けた例を示している。つまり、図１に示すように、平面視して略方形状で左右に長い第１玄関土間部１３の左右一方側の略半分の部位を後方側に延設するようにして第２玄関土間部１５を設け、これら各玄関土間部１３，１５によって平面視して略Ｌ字状の一連の玄関土間部を形成している。
【００１３】
また、第１玄関土間部１３と居室空間側との境界部には、この第１玄関土間部１３の左右両側を区画する外壁３及び内壁７と、天井８と、玄関フロアー部１４及び第２玄関土間部１５とによって開口部２０が区画形成されている。つまり、この開口部２０は、左右両側が外壁３及び内壁７によって区画され、上側が天井８によって区画され、下側が玄関フロアー部１４及び第２玄関土間部１５によって区画されている。
また、この開口部２０は、略中央に設けられた壁体１７によって左右に仕切られており、この壁体１７によって、その両側に、第１開口部としての来客用開口部２１と、第２開口部としての家人用開口部２２とを形成している。つまり、来客用開口部２１と家人用開口部２２とは、壁体１７を挟んで横並びに設けられている。
また、本実施形態では、開口部２０の外壁３側には、壁体１７と左右で横並びとなるように第２壁体１９が設けられている。
【００１４】
壁体１７は、玄関フロアー部１４から天井８に至るまでの高さに形成されており、本実施形態では、家人用開口部２２側の端面が、第２玄関土間部１５から段上がり状に形成された玄関フロアー部１４の立ち上り面と略同一平面状となるように設けられている。
第２壁体１９は、玄関土間部１３，１５から天井８に至るまでの高さに形成されている。
このような壁体１７及び第２壁体１９を設けることで、開口部２０の開口幅が異なる施工箇所に施工する場合にも、これらの幅寸法を適宜、開口幅に合わせて調整することで、後記するスライド扉３０を、共通の扉幅とされたものを施工することができる。
なお、来客用開口部２１側にも第２壁体１９と同様の壁体を設けるようにしてもよい。
【００１５】
来客用開口部２１は、その左右両側が壁体１７及び内壁７によってそれぞれ区画され、上側が天井８によって区画され、下側が玄関フロアー部１４によって区画されている。
家人用開口部２２は、その左右両側が壁体１７及び第２壁体１９によってそれぞれ区画され、上側が天井８によって区画され、下側が第２玄関土間部１５によって区画されている。
つまり、これら来客用開口部２１及び家人用開口部２２は、それぞれ略天井８に至るように形成されており、本実施形態では、各開口部２１，２２の天面が天井面と略同一平面状となるように形成されている。なお、天井面や各壁面、各壁の端面等に開口枠等を付設するようにして設け、この開口枠の下面や内側面等を、各開口部の天面や内側面として把握するようにしてもよい。
【００１６】
来客用開口部２１の後方側の空間は、玄関フロアー部１４を床部とする玄関ホールや廊下、リビングなどの居室空間９とされている。
家人用開口部２２の後方（居室空間）側には、上記玄関スペースに連なり、第２玄関土間部１５を含んだ第２玄関スペースとしての家人用玄関スペース１０が形成されている。この家人用玄関スペース１０は、壁体２３，２４及び壁体２４に隣接する出入口２５を開閉する扉２６によって、来客用開口部２１の後方（居室空間）側から区画されている。
図例では、家人用玄関スペース１０は、後方側が後方壁体（内壁）２３によって区画され、左右の一方側（居室空間９側）が後方壁体２３に連なるように形成された側方壁体（内壁）２４及び扉２６によって区画され、左右の他方側が外壁３によって区画されている。
また、この家人用玄関スペース１０の第２玄関土間部１５の後方側には、この第２玄関土間部１５から段上がり状に形成されるとともに、玄関フロアー部１４に連なるように形成された第２玄関フロアー部１６が設けられている。
なお、図１において、符号６は、靴収納や棚収納などを備えた収納部である。また、出入口２５及び扉２６の詳細については後述する。
【００１７】
本実施形態に係る玄関構造１は、上記のように形成された来客用開口部２１及び家人用開口部２２の一方を閉塞させたときには、他方を開放させる構造とされた扉３０を備えている。つまり、本実施形態に係る玄関構造１は、扉３０を移動させて、来客用開口部２１を閉塞させたときには、家人用開口部２２が開放される一方、家人用開口部２２を閉塞させたときには、来客用開口部２１が開放される構造とされている。
この扉３０は、図１に示すように、壁体１７の一方面（図例では手前面）１７ａ及び第２壁体１９の一方面（図例では手前面）に沿うようにスライド移動されるスライド扉３０とされ、その上端部が天井８に近接した位置となるように支持される構造とされている。また、その下端面が玄関フロアー部１４の上面に対面するように形成されている。つまり、このスライド扉３０は、第１玄関土間部１３から段上がり状に形成された玄関フロアー部１４近傍から略天井８に至るような高さ寸法とされている。
また、本実施形態では、スライド扉３０は、スライド移動される際に、その少なくとも一部が、玄関フロアー部１４と上下で重合するように配置されている。
【００１８】
上記のように本実施形態では、各開口部２１，２２を、それぞれ略天井８に至るように形成し、これらを開閉するスライド扉３０を、上端部が天井８に近接した位置となるように支持される構造としている。従って、一方の開口部を開放させ、他方の開口部を閉塞させたときには、一方側は、高さ方向に大きく開放されて開口部としての印象を低減させることができる。また、他方側は、略天井８までの高さのスライド扉３０によって壁のような外観となり、当該スライド扉３０が目立ち難くなり、見栄えを向上させることができる。
【００１９】
このスライド扉３０の一側部（図例では、来客用開口部２１を開放する際における戸先側端部、家人用開口部２２を開放する際における戸尻側端部）３１には、取手３１ａが設けられている。この取手３１ａは、図３（ｂ）に示すように、スライド扉３０の両側表面に、厚さ方向にそれぞれ形成された凹部に嵌め込まれて固定された凹状取手３１ａ，３１ａとされている。つまり、これら凹状取手３１ａ，３１ａは、当該スライド扉３０の表面から凹むような形状とされている。
このような凹状取手３１ａとすることで、壁体１７の手前面１７ａに沿うようにスライド移動されて開閉されるスライド扉３０と壁体１７の手前面１７ａとの隙間（クリアランス）を、突出するようなハンドル等を設けた場合と比べて小さくすることができる。
なお、スライド扉３０の他側部３２にも上記同様の取手を設けるようにしてもよい。さらには、このように一側部乃至は他側部の両側表面に取手をそれぞれ設ける態様に代えて、一側部の一方面のみに取手を設けるとともに他側部の他方面のみに取手を設ける態様としてもよい。
【００２０】
スライド扉３０の上端部の扉幅方向（左右方向）両側端部近傍には、図２に示すように、ランナー部材３３，３３が連結固定されている。このランナー部材３３は、公知のもので、図３（ｃ）及び図４に示すように、スライド扉３０の上端部に設けられたカップ部等に連結固定される連結固定部やこの連結固定部に回動自在に設けられた転動部（ローラー）等を備えている。本実施形態では、天井８に埋め込まれるようにして固定された上レール３５に、ランナー部材３３の転動部が転動自在に収容保持されて当該スライド扉３０が開閉自在に支持される上吊り構造のスライド扉３０とされている。
【００２１】
このような上吊り構造のスライド扉３０とすることで、下レールが不要となり、開放側下部の見栄えを向上させることができる。また、戸車等を下端に設けた下荷重構造とした場合において、玄関フロアー部と第２玄関土間部とに亘って開閉されるものとした場合には、段差が形成されるため、下レールの敷設が困難となる場合がある。また、第１玄関土間部に下レールを敷設することも考えられるが、見栄えが悪くなり、砂利等の噛み込み等の発生が考えられる。本実施形態のように、上吊り構造とすることで、開口部の下側に段差が形成されるような場合にも簡易な構造でスライド扉を設けることができる。
なお、上レール３５を含む上枠等を天井８に埋め込むようにして固定する態様に代えて、上レールを含む上枠等を天井面に付設するようにして固定する態様としてもよい。
【００２２】
上レール３５は、図３（ｃ）に示すように、上枠や天井下地等に固定される上板部と、この上板部の幅方向両側縁から垂れ下がるように連成された両側板部とを備え、これらによって下方に向けて開口する形状とされている。この上レール３５の開口内にランナー部材３３の転動部等が収容される。また、上レール３５の両側板部の下端縁には、当該上レール３５の幅方向内方側に向けて突出する案内片がそれぞれに設けられており、これら案内片に、ランナー部材３３の転動部が転動自在に支持される。
なお、この上レール３５には、図１（ａ）及び図２（ａ）に示すように、スライド扉３０が家人用開口部２２を閉塞した状態で、このスライド扉３０の外壁３側（左側）への移動を防止するストッパー片等のストッパー部が設けられている。
【００２３】
また、本実施形態では、この上レール３５には、来客用開口部２１及び家人用開口部２２のうちのいずれか一方側の開口部を開放させる際におけるスライド扉３０の戸尻側端部の他方側の開口部への移動を抑制する移動抑制部３６が設けられている。本実施形態では、来客用開口部２１を開放させる際におけるスライド扉３０の戸尻側端部（他側部）３２の家人用開口部２２側への移動を抑制する移動抑制部３６を設けた例を示している。
【００２４】
移動抑制部３６は、図３（ｃ）及び図４（ａ）に示すように、本実施形態では、上レール３５に設けられるとともに、スライド扉３０のランナー部材３３の移動を抑制するバネ部材３６とされている。図例では、このバネ部材３６は、上レール３５の上板部に一端部が固定され、他端部が自由端とされ、その略中央部が下方に向けて突出するように屈曲された板バネ状とされている。このバネ部材３６は、来客用開口部２１を開放（家人用開口部２２を閉塞）する方向に移動するスライド扉３０の他側部３２が、家人用開口部２２と重合する略直前の位置で、ランナー部材３３の連結固定部に略自然状態で屈曲部が当接する位置に設けられている（図４（ｂ）参照）。
図４（ｂ）に示すように、バネ部材３６の屈曲部にスライド扉３０のランナー部材３３が当接した状態では、バネ部材３６のバネ付勢力によって、来客用開口部２１を開放（家人用開口部２２を閉塞）する方向へのスライド扉３０の移動が抑制される。この状態から更にスライド扉３０を、上記方向に移動させれば、図４（ｃ）に示すように、バネ部材３６の弾性変形を伴い、スライド扉３０のランナー部材３３がバネ部材３６を潜り抜けるようにして家人用開口部２２を閉塞する方向へ移動する。つまり、バネ部材３６のバネ付勢力に抗してスライド扉３０のランナー部材３３を上記方向へ移動させることで、スライド扉３０の上記方向への移動の抑制が解除され、家人用開口部２２が閉塞される。
【００２５】
上記のような移動抑制部としてのバネ部材３６を設けることで、閉塞する側の開口部、つまり、家人用開口部２２を確認して来客用開口部２１を開放させることができ、安全性を向上させることができる。
また、本実施形態では、上レール３５に移動抑制部としてのバネ部材３６を設けているので、当該移動抑制部を目立ち難くすることができる。また、ランナー部材３３の移動を抑制するバネ部材３６としているので、このバネ部材３６の弾性変形を伴って開放させることができ、例えば、手動操作でロック解除等をするようなものと比べて、使い勝手が良い。
【００２６】
なお、移動抑制部としてのバネ部材を上レールの上板部に設ける態様に代えて、上レールの両案内片に上方に向けて突出する山形状のバネ部材をそれぞれに設け、ランナー部材の転動部の転動を抑制することで、ランナー部材の移動を抑制する態様としてもよい。さらには、弾性変形可能とされたバネ部材によって移動抑制部を構成する態様に限られず、上レールの両案内片に、ランナー部材の転動部の転動を抑制する凹みや、バンプ状の突部などを設け、これらを移動抑制部としてもよい。
また、このような移動抑制部としては、上記方向へのスライド扉の移動を完全に防止するものではなく、手動操作でスライド開閉が可能な程度の規制を付与する程度のものとしてもよく、さらには、節度感を与える程度のものとしてもよい。
さらに、本実施形態では、来客用開口部２１を開放させる際におけるスライド扉３０の戸尻側端部（他側部）３２の家人用開口部２２側への移動を抑制する移動抑制部３６を設けた例を示しているが、これに代えて、逆側への移動を抑制する移動抑制部を設けてもよい。つまり、家人用開口部２２を開放させる際におけるスライド扉３０の戸尻側端部（一側部）３１の来客用開口部２１側への移動を抑制する移動抑制部を設ける態様としてもよい。さらには、これら移動抑制部の両方を設ける態様としてもよい。
【００２７】
また、スライド扉３０の下端部には、図３（ｄ）に示すように、下方（玄関フロアー部１４）に向けて開口したガイド凹溝３４が当該スライド扉３０の扉幅方向に沿って形成されている。このガイド凹溝３４には、スライド扉３０の下部を開閉方向に沿ってガイドするガイド部としての固定ピン１８が挿入（遊挿）される。この固定ピン１８は、玄関フロアー部１４の上面から上方に向けて突出するように設けられており、図１に示すように、開閉時に移動するスライド扉３０のガイド凹溝３４に、少なくとも一本が挿入されるように間隔を空けて複数個、設けられている。図例では、壁体１７の手前側の二箇所に固定ピン１８，１８を設けた例を示している。
このようなガイド部としての固定ピン１８を設けることで、上記のように上吊り構造とされたスライド扉３０を開閉する際に、その下部がガイドされ、安定して開閉させることができる。
【００２８】
なお、上記ガイド部としては、固定ピンに代えて、玄関フロアー部から出没自在とされたガイドピンを玄関フロアー部に埋め込むようにして設け、スライド扉のガイド凹溝にマグネット等を設ける態様としてもよい。このようなものでは、スライド扉が通過する際には、ガイドピンが磁力による吸着によって突出し、スライド扉のガイド凹溝に挿入され、開閉方向に沿うガイドが可能となる。一方、スライド扉が通過すれば、磁力の吸着がなくなり、ガイドピンが玄関フロアー部に没入して目立ち難くなり、見栄えをより向上させることができる。
また、図例では、見栄えを向上させる観点等から壁体１７の手前側にガイド部を設けた例を示しているが、内壁７側の玄関フロアー部１４の適所にも同様のガイド部を設けるようにしてもよい。
【００２９】
家人用玄関スペース１０の出入口２５は、図１及び図３（ａ）に示すように、その前後両側が側方壁体２４及び壁体１７によって区画され、その上側及び下側は、来客用開口部２１と同様、天井８及び玄関フロアー部１４によって区画されている。つまり、この出入口２５は、上記した来客用開口部２１及び家人用開口部２２と同様、略天井８に至るように形成されている。
この出入口２５を開閉する扉２６は、上記同様、側方壁体２４の一方面（図例では、第２玄関フロアー部１６側の面）に沿うようにスライド移動されるスライド扉２６とされており、その上端部が天井８に近接した位置となるように支持される構造とされている。図例では、上記同様、天井８に埋め込まれるようにして設けられた上レール２９に、上端部に設けられたランナー部材２８の転動部が転動自在に収容保持されて支持される上吊り構造のスライド扉２６とされている。
【００３０】
家人用玄関スペース１０の出入口２５及びスライド扉２６を上記構造とすることで、上記同様、下レールが不要となり、出入口２５の下部の見栄えを向上させることができる。また、スライド扉２６を開放させれば、出入口２５が高さ方向に大きく開放される一方、スライド扉２６を閉塞させれば、略天井８までの高さのスライド扉２６によって壁のような外観となり、当該スライド扉２６が目立ち難くなり、見栄えを向上させることができる。
【００３１】
なお、図３（ａ）において、符号２７は、上記同様の取手である。
また、スライド扉２６の下端部に、上記同様、玄関フロアー部１４に向けて開口するガイド凹溝を設け、このガイド凹溝に玄関フロアー部１４の適所に設けた上記同様の固定ピン等のガイド部を挿入させて、開閉方向に沿う移動をガイドするようにしてもよい。
さらに、家人用玄関スペース１０の上記した出入口２５及び扉２６は、略天井までの高さとされたものに限られない。
さらにまた、図例では、スライド扉２６を、側方壁体２４の第２玄関フロアー部１６側の面に沿わせて設けた例を示しているが、側方壁体２４の玄関フロアー部１４側の面に沿わせて設けるようにしてもよい。
また、側方壁体２４の一方側の面に沿うようにスライド扉２６を納める、いわゆるアウトセット納めに限られず、側方壁体に戸袋空間を設けてスライド扉２６を収納可能とした戸袋納めとしてもよい。
さらに、上吊り構造とされたスライド扉に限られず、下荷重構造とされたものとしてもよい。
さらには、スライド開閉される扉に代えて、開き戸や折戸等を、家人用玄関スペース１０と居室空間９とを連通させる出入口２５に開閉可能に設けるようにしてもよい。
また、図例では、出入口２５を側方壁体２４と壁体１７との間に設けた例を示しているが、この出入口を後方壁体２３や側方壁体２４の適所に設けるようにしてもよい。
【００３２】
上記構造とされた本実施形態に係る玄関構造１は、各スライド扉３０，２６を開閉させることで、以下のような態様で使用するようにしてもよい。
図１（ａ）及び図２（ａ）に示すように、スライド扉３０をスライドさせて、来客用開口部２１を開放させ、家人用開口部２２を閉塞させる。この状態では、スライド扉３０の両側部３１，３２が壁体１７及び第２壁体１９と厚さ方向で重合し、家人用開口部２２が閉塞された状態となる。また、家人用玄関スペース１０のスライド扉２６をスライドさせて、出入口２５を閉塞させる。
この状態では、玄関開口４と居室空間９とが、第１玄関土間部１３上の共通玄関スペース及び来客用開口部２１を介して連通し、来客用通路１１が形成される。また、家人用玄関スペース１０が、第１玄関土間部１３上の共通玄関スペース及び居室空間９から概ね隠蔽された状態となる。
【００３３】
一方、図１（ｂ）及び図２（ｂ）に示すように、スライド扉３０をスライドさせて、家人用開口部２２を開放させ、来客用開口部２１を閉塞させる。この状態では、スライド扉３０の一側部３１が内壁７に当接し、他側部３２が壁体１７と厚さ方向で重合し、来客用開口部２１が閉塞された状態となる。また、家人用玄関スペース１０のスライド扉２６をスライドさせて、出入口２５を開放させる。
この状態では、玄関開口４と居室空間９とが、第１玄関土間部１３上の共通玄関スペース、第２玄関土間部１５上の家人用玄関スペース１０及び出入口２５を介して連通し、家人用通路１２が形成される。
つまり、本実施形態では、各スライド扉３０，２６を開閉させることで、来客用通路１１と家人用通路１２とを選択的に容易に形成することができる。
【００３４】
以上のように本実施形態に係る玄関構造１によれば、一方の開口部２１を来客用、他方の開口部２２を家人用として利用でき、来客用の玄関スペースと家人用の玄関スペースとを見栄え良く区分することができる。つまり、一枚のスライド扉３０によって、一方の開口部２１を閉塞させることで、他方の開口部２２が開放され、その開口部２２を、家人用として使用できる。また、他方の開口部２２を閉塞させることで、一方の開口部２１が開放され、その開口部２１を、来客用として使用でき、スライド扉３０を、各開口部２１，２２を開閉する共通の扉として利用でき、状況に応じた選択的な利用が可能となる。
また、来客用開口部２１を開放させ、家人用開口部２２を閉塞することができるので、玄関側から第２玄関土間部１５を含む家人用玄関スペース１０が客人の視界に入り難くなり、見栄えを向上させることができる。
さらに、本実施形態では、上記のように、二つの開口部２１，２２を選択的に開放または閉塞させる扉として、スライド式の扉３０を採用しているので、壁体１７を挟んで各開口部２１，２２側にスライドさせる構造とすればよく、簡易な構造とできる。また、このスライド扉３０をスライドさせることで、いずれかの開口部を容易に選択的に出入口乃至は通路として使用することができる。
【００３５】
さらにまた、本実施形態では、第１玄関土間部１３から連なるように形成された第２玄関土間部１５を家人用玄関スペース１０に設けているので、この第２玄関土間部１５に履物等を並べることができる。また、キャスター付きのバッグや荷台、ゴルフバッグ等をスムーズに出し入れすることができ、これらを家人用玄関スペース１０に収納することもできる。
また、本実施形態では、家人用開口部２２の居室空間側に、来客用開口部２１の居室空間９側から区画するように家人用玄関スペース１０を設け、この家人用玄関スペース１０の出入口２５を開閉するスライド扉２６を設けている。従って、上記のように来客用通路１１を形成した状態では、この来客用通路１１から家人用玄関スペース１０が遮断され、居室空間９側からも家人用玄関スペース１０を目立ち難くすることができ、見栄えを向上させることができる。また、このように来客用通路１１から遮断することができるので、この家人用玄関スペース１０を、収納スペースとして有効に利用することもできる。
【００３６】
次に、本発明に係る他の実施の形態について、図面を参照しながら説明する。
図５、図６及び図７（ａ）は、第２実施形態に係る玄関構造の一例について説明するための概念的な説明図である。
なお、上記第１実施形態との相違点について主に説明し、同様の構成については、同一符号を付し、その説明を省略または簡略に説明する。
【００３７】
本実施形態に係る玄関構造１Ａでは、開口部２０を仕切る壁体、スライド扉、ガイド部及び移動抑制部の構成が上記第１実施形態とは主に異なる。
本実施形態では、壁体１７Ａを、スライド扉３０Ａの開閉方向に沿って、玄関フロアー部１４から第２玄関土間部１５に向けて突出するように設けている。また、第２壁体を設けておらず、家人用開口部２２Ａの左右両側を壁体１７Ａ及び外壁３によって区画している。このような壁体１７Ａを設ける構成とすることによって、玄関フロアー部１４から第２玄関土間部１５に向けて突出する壁体１７Ａの寸法を調整することで、家人用開口部２２Ａの配置の自由度を向上させることができる。
なお、上記第１実施形態において説明したような第２壁体を設けるようにしてもよい。
また、図例では、壁体１７Ａの第２玄関土間部１５側に突出した下端が第２玄関土間部１５から浮くように設けられた例を示しているが、このような態様に限られない。例えば、この壁体の第２玄関土間部１５側に突出した側の下部に、第２玄関土間部１５と玄関フロアー部１４との段差に応じた切欠を形成することで、その下端を玄関フロアー部１４及び第２玄関土間部１５に当接させて設けるようにしてもよい。
【００３８】
また、本実施形態では、壁体１７Ａの下端部に、スライド扉３０Ａの下部を開閉方向に沿ってガイドするガイド部としてのガイドレール１８Ａを設けている。このガイドレール１８Ａは、図５及び図６に示すように、壁体１７Ａの幅方向に沿ってその全幅に亘って設けられている。
ガイドレール１８Ａは、図７（ａ）に示すように、壁体１７Ａの下端部の手前面に固定される固定片部１８ａと、この固定片部１８ａの下端縁から手前側に突出した水平片部１８ｃと、この水平片部１８ｃの手前縁から上方に突出した係合片部１８ｂとを備えている。
スライド扉３０Ａの下端部には、上記と略同様のガイド凹溝３４Ａが設けられており、このガイド凹溝３４Ａにガイドレール１８Ａの係合片部１８ｂが係合し、スライド扉３０Ａがガイドされる。なお、スライド扉３０Ａが開閉される際に、ガイドレール１８Ａの係合片部１８ｂの少なくとも一部が、スライド扉３０Ａのガイド凹溝３４Ａに係合する構成とされている。
このようなガイドレール１８Ａを壁体１７Ａに設けることで、図例のように、家人用開口部２２Ａを閉塞させた状態で、スライド扉３０Ａと玄関フロアー部１４とが上下で重合しないような場合にも、スライド扉３０Ａの下部を安定してガイドすることができる。
【００３９】
また、本実施形態では、図７（ａ）に示すように、壁体１７Ａの一側端面（家人用開口部２２Ａ側の端面）１７ｂに、移動抑制部としてのストッパー３７を設けている。
このストッパー３７は、壁体１７Ａの一側端面１７ｂに基部が回動自在に連結固定された細長平板状とされており、上下方向に沿って間隔を空けて複数箇所に設けられている。また、このストッパー３７は、壁体１７Ａの手前面１７ａから前方に向けて突出した状態と、前方に向けて突出しない状態とに保持可能とされている。
本実施形態では、手動操作により回動させて上記突出した状態とすることで、ストッパー３７の先端部と、スライド扉３０Ａの一側端面３２ｂとが側面視において重合し、スライド扉３０Ａの他側部３２Ａ（図５参照）の家人用開口部２２Ａ側への移動が抑制される。一方、上記突出しない状態とすることで、ストッパー３７の先端部と、スライド扉３０Ａの一側端面３２ｂとが側面視において重合せず、スライド扉３０Ａの他側部３２Ａ（図５参照）の家人用開口部２２Ａ側への移動の抑制が解除される。
【００４０】
このような移動抑制部によっても上記第１実施形態において説明した移動抑制部と概ね同様の効果を奏する。また、手動操作により解除が必要となるので、より安全性を向上させることができる。
なお、上記のような移動抑制部としてのストッパーを、壁体１７Ａの家人用開口部２２Ａ側の端面に設ける態様に代えて、または加えて、壁体１７Ａの来客用開口部２１側の端面に設けるようにしてもよい。
【００４１】
また、本実施形態では、スライド扉３０Ａの来客用開口部２１を開放する際における戸先側端部（一側部）３１Ａに取手を設けずに、来客用開口部２１を開放する際における戸尻側端部（他側部）３２Ａに上記同様の取手３２ａを設けている。このような構成とすることで、図５（ａ）及び図６（ａ）に示すように、家人用開口部２２Ａを閉塞させ、来客用通路１１を形成した状態では、上記第１実施形態と比べて、スライド扉３０Ａの取手３２ａを目立ち難くすることができ、見栄えを向上させることができる。
また、本実施形態では、第２壁体を設けていないので、図６に示すように、スライド扉３０Ａの他側部３２Ａが家人用開口部２２Ａの左右一方側（図例では、左方側）を区画する外壁３に当接し得るように、スライド扉３０Ａを支持する上レール３５Ａを設けている。
本実施形態に係る玄関構造１Ａにおいても上記第１実施形態と概ね同様の効果を奏する。
なお、本実施形態において説明した上記第１実施形態とは異なる各構成と、上記第１実施形態において説明した対応する各構成とを適宜、組み替えて、または組み合わせて、適用するようにしてもよい。この場合、各構成を適宜、必要に応じて変形するようにしてもよい。
【００４２】
次に、移動抑制部の一変形例について図７（ｂ）、（ｃ）に基づいて説明する。
本変形例では、壁体１７Ｂの一側端部（家人用開口部２２（２２Ａ）側の端部）の手前面１７ａ側に、移動抑制部３８を設けた例を示している。この移動抑制部３８は、壁体１７Ｂの上下方向に沿って間隔を空けて複数箇所に設けられている。
この移動抑制部３８は、壁体１７Ｂの一側端部に設けられた手前側に向けて開口する凹部に埋め込まれるようにして固定されたケーシング３８ａと、このケーシング３８ａ内に設けられ、壁体１７Ｂの厚さ方向に弾性変形を伴い伸縮するバネ３８ｂとを備えている。また、このバネ３８ｂの手前側には、壁体１７Ｂの手前面１７ａから壁体１７Ｂの厚さ方向に沿って進退可能とされた進退部が設けられており、この進退部の手前側端（先端）には、水平面域で回動自在とされたローラー３８ｃが設けられている。
【００４３】
この移動抑制部３８は、図７（ｂ）に示すように、スライド扉３０と接触していない状態では、バネ３８ｂによって手前側に付勢されたローラー３８ｃを含む進退部が前方に突出し、ローラー３８ｃとスライド扉３０の一側端面３２ｂとが側面視において重合する。これにより、スライド扉３０の他側部３２の家人用開口部２２側への移動が抑制される。
上記状態からスライド扉３０の更なる家人用開口部２２側への移動に伴い、スライド扉３０の一側端面３２ｂがローラー３８ｃに接触すれば、ローラー３８ｃを含む進退部がバネ３８ｂの弾性変形を伴い、ケーシング３８ａの内側（後方側）に向けて押し込まれる。これにより、上記移動の抑制が解除され、スライド扉３０の背面上をローラー３８ｃが転動しながら、スライド扉３０の移動がなされる。
このような移動抑制部３８を採用した場合にも上記各実施形態において説明した移動抑制部と概ね同様の効果を奏する。
また、ローラー３８ｃを設けているので、スライド扉３０の開閉がスムーズになされ、スライド扉３０の背面への損傷等を防止することができる。
【００４４】
なお、本変形例では、移動抑制部３８を、壁体１７Ｂの家人用開口部２２（２２Ａ）側の端部に設けた例を示しているが、これに代えて、または加えて、壁体１７Ｂの他方側の端部に設けるようにしてもよい。
また、本変形例では、進退部の先端に回動自在とされたローラーを設けた例を示しているが、進退部の先端を突湾曲形状として、スライド扉の端面及び背面に摺るようにして接するものとしてもよい。
さらに、本変形例において説明した移動抑制部は、上記各実施形態において説明した各移動抑制部に代えて、または加えて適用可能である。さらには、上記第１実施形態において説明した板バネ状の移動抑制部に代えて、本変形例において説明したようなローラーを備え、下方側にバネ等で付勢され、かつ上下に揺動可能とされた移動抑制部を、上レールの上板部等に設けるようにしてもよい。
【００４５】
次に、本発明に係る更に他の実施の形態について、図面を参照しながら説明する。
図８及び図９は、第３実施形態に係る玄関構造の一例について説明するための概念的な説明図である。
なお、上記各実施形態との相違点について主に説明し、同様の構成については、同一符号を付し、その説明を省略または簡略に説明する。
【００４６】
本実施形態に係る玄関構造１Ｂでは、居室空間と家人用玄関スペースとの区画態様、及び開口部２０に設けられる壁体の構成が上記各実施形態とは主に異なる。
本実施形態では、上記各実施形態と比べて、家人用玄関スペース１０Ａの左右の幅寸法を小さくした例を示している。図例では、第２玄関土間部１５Ａの左右の幅寸法を、第１玄関土間部１３の略１／３程度とし、第２玄関土間部１６Ａ及び後方壁体２３Ａの左右の幅寸法もこれに応じた幅寸法としている。つまり、玄関フロアー部１４Ａの左右の幅寸法を、上記各実施形態と比べて大きく形成し、家人用玄関スペース１０Ａに隣接する居室空間９Ａを大きく形成した例を示している。
【００４７】
また、本実施形態では、来客用開口部２１Ａと家人用開口部２２Ｂとを両側に形成する壁体１７Ｃを、来客用開口部２１Ａ及び家人用開口部２２Ｂの少なくとも一方側にスライド移動可能とされた可動間仕切１７Ｃとしている。本実施形態では、この可動間仕切１７Ｃを家人用開口部２２Ｂ側にスライド移動可能とした例を示している。この可動間仕切１７Ｃは、図９に示すように、その上端部に上記同様のランナー部材１７ｃが設けられており、このランナー部材１７ｃを介して、上記同様の上レール３９に支持される上吊り構造の可動間仕切りとされている。
この上レール３９は、図９（ａ）に示すように、家人用開口部２２Ｂ側にスライド移動された可動間仕切１７Ｃの一側部が外壁３に当接し得るように設けられている。この状態では、実質的には家人用開口部２２Ｂが消滅した状態となる。また、本実施形態では、この状態において、この可動間仕切１７Ｃとスライド扉３０Ａとが厚さ方向で略合致するようにこれらの幅寸法を略同寸法としている。
【００４８】
また、上レール３９は、図９（ｂ）に示すように、可動間仕切１７Ｃを来客用開口部２１Ａ側に位置させた状態では、可動間仕切１７Ｃの両側に来客用開口部２１Ａ及び家人用開口部２２Ｂが形成されるように設けられている。また、この状態から、この可動間仕切１７Ｃの来客用開口部２１Ａ側への移動を防止するストッパー等が上レール３９に設けられている。また、この状態では、上記第１実施形態と同様、可動間仕切１７Ｃの家人用開口部２２Ｂ側の端面が、第２玄関土間部１５Ａ側の玄関フロアー部１４Ａの立ち上り面と略同一平面状となるように可動間仕切１７Ｃが配置される構造とされている。
なお、図示は省略するが、この可動間仕切１７Ｃの下端部には、上記同様のガイド凹溝が設けられており、このガイド凹溝に、玄関フロアー部１４Ａの適所に設けられた上記同様の固定ピン等のガイド部１８（図８参照）が挿入され、可動間仕切１７Ｃの下部のガイドがなされる。
また、この可動間仕切１７Ｃの下端部には、上記同様のガイドレール１８Ｂが設けられている。
【００４９】
本実施形態に係る玄関構造１Ｂにおいても上記各実施形態と概ね同様の効果を奏する。
また、本実施形態に係る玄関構造１Ｂでは、図８（ａ）及び図９（ａ）に示すように、スライド扉３０Ａ及び可動間仕切１７Ｃを家人用開口部２２Ｂ側に向けて移動させることで、来客用開口部２１Ａの開口幅を大きくすることができる。これにより、来客用通路１１を上記各実施形態と比べて効率的に大きくすることができる。
【００５０】
なお、可動間仕切１７Ｃを支持する上レール３９の適所に、この可動間仕切１７Ｃの家人用開口部２２Ｂ側への移動を抑制する上記第１実施形態において説明したような移動抑制部を設けるようにしてもよい。または、可動間仕切１７Ｃの家人用開口部２２Ｂ側への移動を防止する移動ストッパー部を設けるようにしてもよい。このような移動ストッパー部としては、例えば、玄関フロアー部１４Ａに係合穴を設け、可動間仕切１７Ｃの下端部に、この係合穴に係合する係合ピン等を下方に向けて進退自在に設けた構成としてもよい。
また、可動間仕切１７Ｃ及びスライド扉３０Ａに互いに係合する係合部等を設け、スライド扉３０Ａのスライド移動に連動して、可動間仕切１７Ｃがスライド移動されるものとしてもよい。
【００５１】
さらに、本実施形態では、可動間仕切１７Ｃを、家人用開口部２２Ｂの開口幅を小さくする方向へのみスライド移動可能とした例を示しているが、これに代えて、または加えて、家人用開口部２２Ｂの開口幅を大きくする方向へスライド移動可能とされたものとしてもよい。つまり、図８（ｂ）及び図９（ｂ）に示す状態から、来客用開口部２１Ａの開口幅を小さくする方向へスライド移動可能とされたものとしてもよい。この場合、図例とは逆に、家人用玄関スペース１０Ａの左右の幅寸法を大きくし、玄関フロアー部１４Ａの左右の幅寸法を小さくするようにしてもよい。
さらにまた、本実施形態では、一方の開口部（図例では、家人用開口部２２Ｂ）を実質的に消滅させるまでスライド移動可能とされた可動間仕切１７Ｃを例示しているが、その開口部の開口幅を狭めるように途中までスライド移動可能とされたものとしてもよい。
また、本実施形態において説明した上記各実施形態とは異なる各構成と、上記各実施形態において説明した対応する各構成とを適宜、組み替えて、または組み合わせて、適用するようにしてもよい。この場合、各構成を適宜、必要に応じて変形するようにしてもよい。
【００５２】
次に、本発明に係る更に他の実施の形態について、図面を参照しながら説明する。
図１０は、第４実施形態に係る玄関構造の一例について説明するための概念的な説明図である。
なお、上記第１実施形態との相違点について主に説明し、同様の構成については、同一符号を付し、その説明を省略または簡略に説明する。
【００５３】
本実施形態に係る玄関構造１Ｃでは、家人用玄関スペース及び開口部２０を仕切る壁体の構成が上記第１実施形態とは主に異なる。
本実施形態では、第２玄関フロアー部１６Ｂを、第２玄関土間部１５Ｂの後方側ではなく第２玄関土間部１５Ｂの居室空間９側（図例では、右方側）に設けるようにして、第２玄関土間部１５Ｂの奥行き寸法を、上記各実施形態と比べて大きくした例を示している。
このような構成とすることで、第２玄関フロアー部１６Ｂをゆったりと快適に使用できるとともに、第２玄関土間部１５Ｂを利用して、家人用玄関スペース１０Ｂの第２玄関土間部１５Ｂに自転車等の比較的に大きなものをスムーズに収納することもできる。
【００５４】
また、本実施形態では、壁体１７Ｄの幅寸法を、第２玄関フロアー部１６Ｂに合わせて、上記第１実施形態において説明した壁体の幅寸法よりも大きく形成している。
また、本実施形態では、上記第２実施形態及び第３実施形態と同様、開口部２０に第２壁体を設けておらず、家人用開口部２２Ｃの左右両側を壁体１７Ｄと外壁３とによって区画した例を示している。
本実施形態に係る玄関構造１Ｃにおいても上記各実施形態と概ね同様の効果を奏する。
なお、本実施形態において説明した上記各実施形態とは異なる各構成と、上記各実施形態において説明した対応する各構成とを適宜、組み替えて、または組み合わせて、適用するようにしてもよい。この場合、各構成を適宜、必要に応じて変形するようにしてもよい。
【００５５】
なお、上記各実施形態では、玄関スペースに形成された開口部に設けた壁体の手前面に沿わせて、各開口部を選択的に開閉するスライド扉を設けた例を示しているが、この壁体の背面に沿わせるようにスライド扉を設けるようにしてもよい。この場合においては、スライド扉の一側部に取手を設け、家人用開口部を閉塞した状態で、このスライド扉の取手を含む一側部が壁体と厚さ方向で重合する構造とされたものとしてもよい。これによれば、玄関側から見た状態では、スライド扉の取手が壁体によって隠蔽されて目立ち難くなり、見栄えを向上させることができる。
また、上記各実施形態では、玄関スペースに形成された開口部に壁体を設けた例を示しているが、このような壁体を設けないようにしてもよい。この場合、家人用玄関スペースを区画する扉や側方壁体によって、来客用開口部と家人用開口部とを仕切るような態様としてもよい。
【００５６】
さらに、上記各実施形態では、来客用開口部及び家人用開口部のスライド扉を、その下端面が玄関フロアー部に近接対面し、家人用開口部を閉塞した状態では、当該スライド扉と玄関土間部との間に隙間が形成されるものを例示しているが、このような態様に限られない。例えば、スライド扉を玄関フロアー部の手前側に配置し、その下端面が玄関土間部に近接対面する構造とされたものとしてもよい。この場合は、玄関土間部に上記同様の固定ピン等のガイド部を設けるようにしてもよく、玄関フロアー部の前方側の立ち上り面等に、上記同様のガイドレールをガイド部として設けるようにしてもよい。
【００５７】
さらにまた、上記各実施形態では、家人用開口部の居室空間側に、玄関スペースに連なる家人用玄関スペースを形成するように来客用開口部の居室空間側から区画する壁体及びこの壁体に隣接する出入口を開閉する扉を設けた例を示しているが、これらを設けないようにしてもよい。このようなものでも、家人用開口部を閉塞させれば、玄関側から第２玄関土間部や家人用通路などが視界に入り難くなり、上記したような従来のものと比べて見栄えを向上させることができる。
また、上記各実施形態では、第１玄関土間部の後方側に玄関フロアー部と第２玄関土間部とを設け、これらによって開口部の下側に段差が形成されるものを例示しているが、このような態様に限られない。例えば、平面視して略方形状とされた玄関土間部とし、その前後方向の途中部位を開口部として上記のようなスライド扉等を設け、その手前側を共通の玄関土間部、後方側の左右一方側を来客用の玄関土間部、他方側を家人用の玄関土間部として使用されるものとしてもよい。この場合には、その玄関土間部に上記同様のガイド部を設けるようにしてもよい。
【００５８】
さらに、上記各実施形態では、スライド扉を支持する上レールを下向きに開口し、両側板部に、ランナー部材の転動部を転動自在に支持する案内片を連成したものとしているが、このような態様に限られない。例えば、上レールは、ランナー部材の形状や構造に応じて、略Ｌ字状とされたものや、横向きに開口した略コ字状（略倒Ｕ字状）とされたものとしてもよい。
さらには、上記各実施形態では、上吊り構造とされたスライド扉を例示しているが、このような態様に限られず、下荷重構造とされたスライド扉を採用するようにしてもよい。この場合は、スライド扉の上端部に、ランナー部材に代えて、上レール等に係合する案内片やピボット等を設け、また、スライド扉の下端部に戸車を設け、この戸車をガイドする下レール等を玄関土間部等に敷設するようにしてもよい。
【００５９】
また、上記各実施形態では、来客用開口部及び家人用開口部を選択的に開閉する扉として、スライド扉を例示しているが、このような態様に限られない。例えば、これらを選択的に開閉し得るように、これらを仕切る壁体や柱体等に蝶番等の連結部材によって連結された開き戸としてもよい。この場合、これら開口部を横並びに設ける態様に代えて、幅方向が互いに略直交するような位置となるように二つの開口部を隣接させて設けたものとしてもよい。このような場合には、玄関土間部を左右に長い平面視して略方形状に形成し、その左右一方側を、第１玄関土間部としてその後方側に来客用開口部を区画する玄関フロアー部を設け、玄関土間部の左右他方側を、家人用開口部を区画する第２玄関土間部としてもよい。
さらに、上記各実施形態では、来客用開口部及び家人用開口部を、それぞれ略天井に至るように形成し、これらを選択的に開閉する扉を、上端部が天井に近接した位置となるように支持されるものとした例を示しているが、このような態様に限られない。例えば、天井から垂れ下がるように設けられた壁によって各開口部の上側を区画し、その開口部に合わせた扉としてもよい。
また、上記各実施形態に係る玄関構造は、戸建住宅の玄関に限られず、集合住宅等の各戸の玄関への適用も可能である。
【符号の説明】
【００６０】
１，１Ａ，１Ｂ，１Ｃ          玄関構造
２                            建物
８                            天井
９，９Ａ                      居室空間
１０，１０Ａ，１０Ｂ          家人用玄関スペース（第２玄関スペース）
２１，２１Ａ                  来客用開口部（第１開口部）
２２，２２Ａ，２２Ｂ，２２Ｃ  家人用開口部（第２開口部）
２３，２４                    家人用玄関スペースを区画する壁体
２５                          家人用玄関スペースの出入口
２６                          家人用玄関スペースのスライド扉（扉）
３０，３０Ａ                  スライド扉（扉）
【図１】
0005874035.tif 000002
【図２】
0005874035.tif 000003
【図３】
0005874035.tif 000004
【図４】
0005874035.tif 000005
【図５】
0005874035.tif 000006
【図６】
0005874035.tif 000007
【図７】
0005874035.tif 000008
【図８】
0005874035.tif 000009
【図９】
0005874035.tif 000010
【図１０】
0005874035.tif 000011